(57)【特許請求の範囲】
【請求項１】
ＭＲ画像を補正するデータを計測するパルスシーケンスと、ＭＲ画像データを計測するパルスシーケンスとを被検体が周期的に繰り返し発生する生体信号の所定時相に対応して発生される信号に基づいて実行し、前記ＭＲ画像データを前記補正データにより補正処理してＭＲ画像を得る磁気共鳴イメージング装置において、前記生体信号の所定時相から所定の遅延時間を有す時相から前記被検体内の磁場不均一データを計測するプリスキャン用パルスシーケンスを実行した後に、前記ＭＲ画像データを計測する本スキャン用パルスシーケンスを前記プリスキャンと時相を合わせて実行する手段と、前記ＭＲ画像データを前記磁場不均一計測データによって補正する手段とを備えたことを特長とする磁気共鳴イメージング装置。
【請求項２】
前記本スキャンのためのパルスシーケンスは、前記生体信号の１周期内に複数枚の画像を得るように繰り返して実行され、前記プリスキャンのためのパルスシーケンスは、前記生体信号の１周期内に本スキャンのパルスシーケンスに対し時相を合わせて開始されると共に取得されるＭＲ画像の枚数と同数が繰り返して実行され、前記本スキャンのＭＲ画像データは、前記プリスキャンにおける同一時相のデータによって補正されることを特徴とする請求項１に記載の磁気共鳴イメージング装置。
【発明の詳細な説明】
【０００１】
【発明の属する技術分野】
本発明は、被検体中の水素や燐等からの核磁気共鳴（以下、「ＮＭＲ」という）信号を測定し、被検体内の核スピンの密度分布や緩和時間分布等を映像化する核磁気共鳴撮影（ＭＲＩ）装置に関し、特に生体の運動臓器を高速に撮像する技術に関するものである。
【０００２】
【従来の技術】
現在ＭＲＩの撮影対象は、臨床で普及しているものとしては、被検体の主たる構成物質、プロトンである。このプロトン密度の空間分布や、励起状態の緩和現象の空間分布を画像化することで、人体頭部、腹部、四肢、更には心臓や血管等の形態または、機能を２次元もしくは３次元的に撮影する。
【０００３】
ＭＲＩ装置は、初期には生体の運動をしない部位を画像化して医療診断に供することができることにより有用性を認められ発展したが、イメージングのためのパルスシーケンスに各種の高速化手法が取り入れられるとともにその実用化が図られ、現在では、エコー・プレナー法  （Ｅｃｈｏ  Ｐｌａｎｅｒ  Ｉｍａｇｉｎｇ  ：以下  ＥＰＩ  法と記す。）  という超高速イメージング法も実用化の域に達し、心臓のような運動臓器をも撮像することができるようになった。
【０００４】
ＥＰＩ法は、被検体である生体内の撮像面内の核スピンを選択励起した後、読み出し傾斜磁場の極性を連続的に反転してエコー信号を複数個、例えば３２個，６４個，１２８個を１回のパルスシーケンスで計測する。このため、従来から行われているスピンエコー法や高速スピンエコー法より格段に高速で撮像が可能である。
しかしながら、ＥＰＩ法には、高速撮像が可能であるという優れた特徴を有しているが、その反面まだ改善されるべき課題は多い。そのうちの１つが磁場均一度である。この磁場均一度の課題としては、静磁場内に置かれた被検体内での磁場均一度が要求されることである。磁場発生装置単体で磁場が均一であっても、被検体が静磁場内に置かれた場合に、被検体内で磁場が均一でなければならない。被検体である生体は部位によって透磁率が異なるため、静磁場発生装置単体で均一磁場が発生できたとしても、被検体を静磁場内に挿入すると、被検体内では磁場の均一性は保証されない。この問題を解決する方法として、静磁場発生装置に磁場調整手段（シミング手段）を設けることが知られている。
【０００５】
ＥＰＩ法は前述のように、核スピンを励起した後、読み出し傾斜磁場の極性を繰り返し反転してエコー信号を生じさせる。このため磁場に不均一があると、その不均一の影響が順次得られるエコー信号に累積的に位相誤差となって現われる。したがって、シミング技術を用いずにＥＰＩ法で被検体を撮像すると、被検体がもたらす磁場不均一の影響により画像に歪が生ずる。
【０００６】
この画像歪を除去するために、従来は撮像に先だって前記誤差を補正するデータを計測するスキャンを実行していた。このプリスキャンによる補正法は、本発明の対象である心臓のような生体内の運動臓器の撮像においても行われている。その方法を図４を用いて説明する。図４において、４１は生体信号、具体的には心電波計信号である。この心電信号のＲ波４２を検出しゲート信号を発生し、このゲート信号からある所定の遅延時間をおいて、補正データを計測するプリスキャン１０１を実行する。このプリスキャン１０１は図２に示すように、スライス方向傾斜磁場パルス（Ｇｓ）２０２とＲＦパルス２０１を同時に印加して被検体の撮像部位の核スピンを選択励起し、次いで読み出し傾斜磁場パルス２０５と２０６を印加し、エコー信号２０７を所定数計測するように行う。
【０００７】
プリスキャン101に次いで、画像データを計測する本スキャン102を行う。本スキャン102は図３に示すように、図２のパルスシーケンスへ位相エンコード傾斜磁(Ge)203,204を付加したパルスシーケンスが実行される。位相エンコード傾斜磁場(Ge)203は計測データをメモリ空間へ書き込む際の最初の位相エンコード方向の書き込みアドレス設定のためのオフセット量となっており、位相エンコード傾斜磁場パルス204は、位相エンコード方向の画素数に等しいステップ数だけ強度を変えて印加される。この本スキャン121を実行することにより、１画像分の画像データが計測される。以上のプリスキャンと本スキャンとは、１回のパルスシーケンスは約100ms程度の短時間で行われる。
【０００８】
その後、プリスキャン１０３，１０５，１０７，１０９と本スキャン１０４，１０６，１０８，１１０とが交互に実行される。このようにして、次のＲ波までの間に合計１０個のパルスシーケンスを実行し、１０１と１０２，１０３と１０４，１０５と１０６，１０７と１０８及び１０９と１１０の各プリスキャンと本スキャンの間で、画像データをプリスキャンデータを用いて補正する。以上が従来の方法の概略である。
【０００９】
【発明が解決しようとする課題】
上記従来の方法は上記説明でも明らかなように、補正データを計測するプリスキャンと画像データを計測する本スキャンとで被検体が周期的に発する生体信号の特定時相から約１００ｍｓのずれがある。この約１００ｍｓの間に臓器も当然運動する。このため、例えばプリスキャン１１１を実行した時と、本スキャン１２１を実行した時とでは、臓器の位置がずれているため、プリスキャン１１１を実行した時と本スキャン１２１を実行した時とでは被検体内の磁場分布も変化している。したがって、プリスキャン１１１のデータで本スキャン１２１の画像データを補正することには無理があることになる。これが本発明が解決しようとしている第１の課題である。
【００１０】
次に、上記従来の方法では連続して得られた画像の時間分解能及び連続性が良くないという課題がある。すなわち、従来の方法はプリスキャンと本スキャンとを交互に約１００ｍｓの時間間隔をもって実行する。したがって、本スキャンは約２００ｍｓの時間分解能を持った画像しか得られない。そして更に、本スキャンと次の本スキャンとの間に約１００ｍｓの画像が得られない空白時間が存在する。これが本発明が解決しようとしている第２の課題である。
【００１１】
本発明は、上記課題に鑑み、従来の方法と比較し、画像データの補正が正確に行え、更に画像の時間分解能及び画像の連続性に優れた磁気共鳴イメージング方法を提供することを目的として成されたものである。
【００１２】
【課題を解決するための手段】
前記目的を達成するために本発明は、ＭＲ画像を補正するデータを計測するパルスシーケンスと、ＭＲ画像データを計測するパルスシーケンスとを被検体が周期的に繰り返し発生する生体信号の所定時相に対応して発生される信号に基づいて実行し、前記ＭＲ画像データを前記補正データにより補正処理してＭＲ画像を得る磁気共鳴イメージング装置において、前記生体信号の所定時相から所定の遅延時間を有す時相から前記被検体内の磁場不均一データを計測するプリスキャン用パルスシーケンスを実行した後に、前記ＭＲ画像データを計測する本スキャン用パルスシーケンスを前記プリスキャンと時相を合わせて実行する手段と、前記ＭＲ画像データを前記磁場不均一計測データによって補正する手段とを備えたものである。
【００１３】
また、前記本スキャンのためのパルスシーケンスは、前記生体信号の１周期内に複数枚の画像を得るように繰り返して実行され、前記プリスキャンのためのパルスシーケンスは、前記生体信号の１周期内に本スキャンのパルスシーケンスに対し時相を合わせて開始されると共に取得されるＭＲ画像の枚数と同数が繰り返して実行され、前記本スキャンのＭＲ画像データは、前記プリスキャンにおける同一時相のデータによって補正されるようにしたものである。
【００１４】
【発明の実施の形態】
以下、本発明の実施の形態を図面を用いて説明する。先ず、図５を用いて本発明を実施するためのＭＲＩ装置の構成を説明する。図５において、４０１は被検体であり、頭部を検査のために計測空間に置かれている。４０２は静磁場発生用磁石装置であり、所定空間領域に均一磁場を発生するものである。この静磁場発生用磁石装置４０２は超電導磁石、常電導磁石または永久磁石を磁場発生源とした各種の方式のものが用いられる。４０３は傾斜磁場コイルで、計測空間において静磁場へ重畳するように、かつその計測空間内において直交する３方向へ傾斜磁場を発生するもの、４０４は計測空間に置かれた被検体４０１へ電磁波を照射するためのＲＦコイル、４０５はＲＦコイル４０４からの電磁波により核磁気共鳴を起こした被検体内の核スピンから生ずる信号を検出するＲＦプローブ、４０６はＲＦプローブ４０５で検出された信号に対し増幅、検波、Ａ／Ｄ変換を行う信号検出部、４０７は信号検出部４０６からの信号を用いて各種の処理及び計算を行い画像データを作成する信号処理部、４０８は信号処理部４０７で作成された画像データを表示するＣＲＴ等を有した画像表示部、４０９は傾斜磁場コイル４０３へ電力を供給する傾斜磁場電源、４１０はＲＦ送信部で、ＲＦコイル４０４から被検体４０１へ照射される電磁波に対応した信号を作成するもの、４１１は制御部で、傾斜磁場電源４０９、ＲＦ送信部４１０、信号検出部４０６、信号処理部４１０等をシステム的に制御するとともに、被検体４０１から信号を検出するパルスシーケンスの実行を制御するもの、４１２は被検体４０１を支持するとともに、被検体４０１の検査部位を計測空間へ移動する寝台である。そして、４１３は被検体４０１が周期的に発生する生体信号、この実施の形態では心電信号を検出し、その検出信号を制御部４１１へ出力する心電検出ユニットである。
【００１５】
次に、本発明のＭＲイメージング法を図１、図２、図３を用いて説明する。ここで、図５に示すＭＲＩ装置の静磁場強度は１．５Ｔ（テスラ）とする。撮像に先立って、寝台４１２に被検体４０１を寝載するとともに、心電検出ユニット４１３を被検体４０１へ装着して、被検体４０１を静磁場発生用磁石装置４０２の開口内の均一磁場空間へ位置させる。次に、図２に示す撮像のためのＥＰＩ法パルスシーケンスを実行するために各種撮像パラメータを設定する。個々で設定すべき主な撮像パラメータは、心臓の１心拍内に撮像する画像枚数、１枚の画像の撮像時間、位相エンコード数、信号読み出しのサンプリング数、撮像視野（ＦＯＶ）等が挙げられる。
【００１６】
そして、撮像パラメータを設定した後、撮像位置決めを行う。撮像の位置決めは従来より行われている方法を実行する。これにより、心臓の観察断面を設定する。ここで、一例として、心臓の１心拍内に１２８×１２８画素の１画像を１００ｍｓの撮像時間で、１０枚連続して撮像する場合について説明を続ける。
【００１７】
被検体４０１に接続された心電検出ユニット４１３により心電信号５１が検出され、この心電信号が制御部４１１へ入力されると、制御部４１１は１心拍、例えば図１に示す心電波形のＲ波から次のＲ波までの１心拍の間に、前記設定された撮像パラメータで１０枚の画像を撮像するに適したスキャンの開始時刻を演算により求める。すなわち、図１に示すＲ波５２，５３からプリスキャン１１１及び本スキャン１２１を開始するまでの遅延時間を求める。勿論、Ｒ波からスキャンを開始するまでの遅延時間は操作者が手動で設定するようにしても良い。
【００１８】
次に、実際のスキャンを時間経過とともに説明する。図１に示すように、心電波形５１が時間経過とともに、Ｐ波、Ｑ波が検出され、次に心電波形の最も特徴的なＲ波が検出されると、制御部４１１はこのＲ波の検出信号に基づいて、このＲ波から前記遅延時間Δｔが経過した時刻にプリスキャン１１１を開始する。
【００１９】
プリスキャン１１１は図２に示すが、図２と図３との比較から明らかなように、ワンショトＥＰＩ法パルスシーケンスから位相エンコード傾斜磁場（Ｇｅ）の印加を省略したパルスシーケンスによるスキャンである。プリスキャン１１１は、スライス選択傾斜磁場２０２とＲＦパルス２０１を印加し被検体４０１の撮像部位の核スピンを選択的に励起する。そして、スライス内の核スピンの位相合わせをした後、読み出し傾斜磁場（Ｇｒ）２０５を印加して一旦核スピンの位相をディフェーズし、その後極性が交互に反転する一連の読み出し傾斜磁場２０６を印加するとともに信号検出部４０６にてエコー  信号２０７を検出、サンプリングする順序で行う。読み出し傾斜磁場（Ｇｒ）２０６は本スキャン１２１の画素数と同じ数の１２８個が極性を交互に変更して印加され、またエコー信号の一つのサンプリングも本スキャン１２１のそれと同一数の１２８個がサンプリングされる。
【００２０】
サンプリングされたデータは、信号処理部４０７の内部にあるいわゆるｋ空間と称されるメモリ空間に記憶される。このメモリ空間への書き込みは、本スキャンの場合はエコー信号へ位相情報を付与して計測するので、その書き込みアドレスは計測されたエコー信号の位相エンコード量に応じて行わなければならないが、このプリスキャンにおいてはエコー信号には位相エンコードを付与しないので、読み出し傾斜磁場（Ｇｒ）の極性に応じて正方向又は負方向に書き込めば良い。また、その書き込み位置及び書き込み順序も特に特定して行う必要はないが、画像データを補正する際に補正されるデータとの対応が取れるようにしておく必要はある。
【００２１】
そして、プリスキャン１１１によって計測されたｋ空間のデータを、各エコー信号データ毎に読み出し方向（サンプリング方向）に対してフーリエ変換する。そして、それらのデータを一方を読み出し方向の空間位置、もう一方をエコー取得順序とする多次元ハイブリッド空間上の複素データマップとして保管する。これが磁場均一度の位相マップとなる。なお、この位相マップの作成はプリスキャン１１１の終了後直ちに行っても良いし、また、本スキャン１２１の実行中及び画像再構成中に行っても良い。
【００２２】
プリスキャン１１１が終了すると制御部４１１は、各部を制御してプリスキャン１１２を直ちに開始する。プリスキャン１１２もプリスキャン１１１と同様に行われる。以下、プリスキャン１１３，１１４，…，１２０が順次実行される。このようにして、心臓の連続した１心拍内に１０の等分した時相において磁場均一度を計測したデータをそれぞれ位相マップとして得ることができる。
【００２３】
プリスキャン１２０が終了後、心電波形のＲ波５３が検出されると、制御部４１１はＲ波５３の検出信号に基づいて、Ｒ波５３からΔｔ、すなわちＲ波５２からプリスキャン１１１を開始した時間に等しい時間経過後、各部を制御し本スキャン１２１を開始する。本スキャン１２１は、図３に示すようにワンショトＥＰＩ法パルスシーケンスそのもので、図２に示すプリスキャンのパルスシーケンスへ位相エンコード傾斜磁場（Ｇｅ）を付加したものである。ワンショットＥＰＩ法パルスシーケンスである本スキャン１２１は、スライス選択傾斜磁場（Ｇｓ）２０２とＲＦパルス２０１とを印加し、撮像部位の核スピンを選択励起し、次いで、選択励起されたスライス内の核スピンの位相合わせをし、その後エコー信号の計測を行う。エコー信号の計測は、位相エンコード傾斜磁場（Ｇｅ）２０３及び読み出し傾斜磁場（Ｇｒ）２０５を印加し、位相エンコード傾斜磁場（Ｇｅ）２０３によりｋ空間における第１エコー信号の書き込み位置を設定し、読み出し傾斜磁場（Ｇｒ）２０５によりエコー信号発生の準備のために核スピンの位相をディフェーズする。次いで、位相エンコード傾斜磁場（Ｇｅ）２０４及び読み出し傾斜磁場（Ｇｒ）２０６を印加しエコー信号を検出、サンプリングする。この際、位相エンコード傾斜磁場（Ｇｅ）２０４の各々は印加量を変えて印加されるとともに、読み出し傾斜磁場（Ｇｒ）２０６の印加初期又は極性の切り換えに合わせて印加される。また、読み出し傾斜磁場（Ｇｒ）２０６の各々は交互に極性が反転して印加される。このようにして、１２８個のエコー信号がそれぞれ位相エンコード量を異ならせて、かつ１個のエコー信号が１２８個のサンプリングデータとして検出される。
【００２４】
検出されたデータは、信号処理部４０７の内部のｋ空間メモリに書き込まれる。このｋ空間への書き込みは、前記プリスキャン時のデータ書き込みと比較し、計測  データに位相情報が付与されているのでそれに応じた位置へ書き込みが成される点が異なる。
【００２５】
このようにして、本スキャン１２１が終了すると、制御部４１１は直ちに本スキャン１２２を本スキャン１２１と同様に実行しデータを計測する。その後、本スキャン１２２，１２３，…，１３０が実行される。これらの本スキャンの計測データは各スキャン単位でｋ空間に記憶される。
【００２６】
これらのデータを各エコー信号データ毎に読み出し方向に先ずフーリエ変換し、そして前記プリスキャンのフーリエ変換データと同様にハイブリッド空間へ書き込む。これらのフーリエ変換されたデータを先のプリスキャンで得たデータ、すなわち前記磁場均一度の位相マップを用いて補正する。この補正は、本スキャンの計測順序とプリスキャンの計測順序とが同じであるスキャン同志の間で行われる。また、本スキャンの計測データとその計測データのエコー信号取得順序に対応した時相のプリスキャンのデータとの間で行う。
【００２７】
そして最後に、前記位相補正された各スキャン単位の計測データを位相エンコード方向にフーリエ変換を行って、順次２次元ＭＲ画像を得、それを表示装置４０８へ表示する。この結果、本スキャンデータは生体内の運動臓器の運動における同一時相のプリスキャンデータによって補正されるので、信号取得時の装置の不可避的な調整不良、例えば傾斜磁場の残留オフセット成分や、被検体に起因する静磁場の不均一性等が計測信号に与える悪影響を除去でき、臓器の診断に好ましい画像が得られる。
【００２８】
次に、本発明の第２の実施の形態を説明する。上記第１の実施の形態はプリスキャンを位相エンコード傾斜磁場（Ｇｅ）を印加せずに行って、その計測データだけで本スキャンの計測データを補正するので、位相補正が読み出し方向に対してのみ実行できる。しかし、これでは撮像対象が撮像面内で読み出し方向へ均等に拡大又は縮小するような場合には、好ましい補正が可能である。しかしながら、撮像対象は撮像面内で読み出し方向に均等に移動するものばかりとは言えない。このため。上記第１の実施の形態は完全なる補正ができるとは言いにくいものである。そこでこの第２の実施の形態はそれを更に改良するものである。
【００２９】
第２の実施の形態は図６に示すように、３心拍の心電波形の間に行われる。第１の心電波形のＲ波６２と第２のＲ波６３の間に、第１の実施の形態と同様に図３に示す位相エンコード傾斜磁場（Ｇｅ）を付加しない第１のプリスキャン１４０を複数回、例えば１０回実行し、各プリスキャンについて読み出し方向に信号を計測する。この第１のプリスキャン１４０の各プリスキャン毎の計測データは第１の実施の形態と同様に、読み出し方向にフーリエ変換を行って多次元ハイブリッド空間上に複素データマップとして保管し本スキャンの補正データとするが、特に撮像面に対しての読み出し方向に対する補正データとする。
【００３０】
次いで、第２のＲ波６３と第３のＲ波６４の間に、図２に示すプリスキャンにおいて位相エンコード方向（Ｇｅ方向）に読み出し用の傾斜磁場を印加し、読み出し傾斜磁場（Ｇｒ）を印加しない第２のプリスキャン１５０をこれも複数回、例えば１０回実行し、各プリスキャンについて位相エンコード方向に信号を計測する。この第２のプリスキャン１５０の各スキャン毎の計測データは、位相エンコード方向にフーリエ変換を行って多次元ハイブリッド空間上に複素データマップとして保管し、上記第１のプリスキャン１４０と同様に本スキャンの補正データとするが、特に撮像面に対しての位相エンコード方向に対する補正データとする。
【００３１】
第１のＲ波６２と第２のＲ波６３の間に第１のプリスキャンが、そして第２のＲ波６３と第３のＲ波６４の間に第２のプリスキャンが終了すると制御部４１１は、第３のＲ波６４を検出した時刻から前記第１及び第２のプリスキャンをＲ波６１，６２にもとずいて開始した時間Δｔ（遅延時間）が経過した時刻に本スキャンを開始する。この本スキャンは前記第１の実施の形態と同様に複数回、例えば１０回行われ、１心拍内の各時相の画像データを計測する。このようにして計測された本スキャンの各データは、多次元のハイブリッド空間上に記憶される。
【００３２】
次に、各時相の本スキャンの計測データ毎に、読み出し方向へのフーリエ変換と前記第１のプリスキャンデータを用いた位相補正、及び位相エンコード方向へのフーリエ変換と前記第２のプリスキャンデータを用いた位相補正を行い、各時相の２次元ＭＲ画像を得る。そしてそれらの画像を表示する。これらの各時相のＭＲ画像は、各時相において位相エンコード方向と読み出し方向とに対してプリスキャンによって計測した磁場不均一を補正しているので、第１の実施の形態に比較してより正確に臓器の形態を描出することができる。ただし、第１の実施の形態に比べ、計測時間が長くなることは否めない。
【００３３】
そこで、この第２の実施の形態の計測時間が長いと言う問題を解決するとともに、第１の実施の形態の１方向に対しての磁場不均一の影響しか補正できない問題の双方を解決する方法を第３の実施の形態として次に説明する。図７は第３の実施の形態を示す。図７において、プリスキャン１７０は第１のＲ波７２を検出した後に所定時間が経過した時刻に開始され、前記各実施の形態と同様に複数回、例えば１０回実施される。そして、その複数回のプリスキャンは撮像断面の位相エンコード方向と読み出し方向とに対し交互にデータを計測する。すなわち、例えば第１回目、第３回目、第５回目、…のように奇数回目のプリスキャンは位相エンコード方向にデータを計測し、第２回目、第４回目、第６回目、…のように偶数回目のプリスキャンは読み出し方向にデータを計測する。そして、これらの各プリスキャンの計測データはその計測方向にフーリエ変換され、多次元ハイブリッド空間上に複素データマップとして保管される。
【００３４】
その後、第２のＲ波７３の検出に基づき本スキャン１８０を実施する。この本スキャン１８０もプリスキャン１７０と同数回実施され、各本スキャン毎にその時相の撮像データが計測される。これらの各本スキャンの計測データは、時相が一致しているプリスキャンデータの計測方向に対しての位相補正が施され、２次元ＭＲ画像となる。これらの一連のＭＲ画像は、第１画像、第３画像、…は位相エンコード方向における磁場不均一が補正された画像となり、また第２画像、第４画像、…は読み出し方向における磁場不均一が補正された画像となる。したがって、これらの一連の画像を画像単位で観察すると１方向に対しての補正であるから磁場不均一の影響を免れることはできないが、一連の画像を連続的に観察する場合、特にシネ表示のような場合には２方向への磁場不均一の補正を行っている効果が期待できる。
【００３５】
【発明の効果】
以上述べたように本発明によれば、静磁場内に置かれた被検体による磁場不均一、特に被検体内の臓器の運動による磁場不均一の影響をプリスキャンと本スキャンとを時相を一致させて計測し、かつ本スキャンは時間間隔を置かずに連続的に実行するようにしたので、得られる画像は時間分解能と繋がりが良く、また時相が合った磁場不均一の影響を補正した正確な画像が得られる。
【図面の簡単な説明】
【図１】本発明の第１の実施の形態の撮影タイミングを示す図。
【図２】本発明の第１の実施の形態におけるプリスキャンシーケンス図。
【図３】本発明の本スキャンシーケンス図。
【図４】従来方法の撮影タイミングを示す図。
【図５】本発明を実施するためのＭＲＩ装置の構成を示すブロック図。
【図６】本発明の第２の実施の形態の撮影タイミングを示す図。
【図７】本発明の第３の実施の形態の撮影タイミングを示す図。
【符号の説明】
５１…心電波形
５２，５３…Ｒ波
１１１，１１２，…プリスキャン
１２１，１２２，…本スキャン
Δｔ…遅延時間
【図１】
0003612656.tif 000002
【図２】
0003612656.tif 000003
【図３】
0003612656.tif 000004
【図４】
0003612656.tif 000005
【図５】
0003612656.tif 000006
【図６】
0003612656.tif 000007
【図７】
0003612656.tif 000008